(57)【特許請求の範囲】
【請求項１】
通水孔を有し、この通水孔の内面の外側部分を内側下方に傾斜して延長するガイド部が形成された集水用蓋を製造する集水用蓋の製造方法であって、
前記ガイド部を成形するキャビティ部分の内端から前記通水孔の内側壁を成形するキャビティ部分の外端まで延びる型割面が形成されることとなる一対の型を準備してこの一対の型の型合わせを行い、
前記一対の型の間に構成された製品キャビティ内に蓋用材料を充填して集水用蓋を製造する、ことを特徴とする集水用蓋の製造方法。
【請求項２】
通水孔を有し、この通水孔の内面の外側部分を内側下方に傾斜して延長するガイド部が形成された集水用蓋を製造するための集水用蓋の製造用型であって、
製品キャビティを備え、前記ガイド部を成形するキャビティ部分の内端から前記通水孔の内側壁を成形するキャビティ部分の外端まで延びる型割面が形成されている一対の型から構成された、ことを特徴とする集水用蓋の製造用型。
【請求項３】
通水孔を有し、この通水孔の内面の外側部分を内側下方に傾斜して延長するガイド部が形成された集水用蓋を、一対の型を用いて製造する集水用蓋の製造用型であって、
前記一対の型の一方には、先端側内側面及び先端側外側面がテーパ状の、前記通水孔を設けるための突出部が形成され、前記一対の型の他方は、前記突出部のテーパ状の前記先端側内側面と型割面を形成して前記一対の型の一方との間に製品キャビティを構成する、ことを特徴とする集水用蓋の製造用型。
【発明の詳細な説明】
【０００１】
【発明の属する技術分野】
本発明は、地下構造物、例えば雨水桝に取り付けられる集水用蓋の製造に関する。
【０００２】
【従来の技術】
路面を流れる雨水を集水して地中流水管に流し込む雨水桝構造体は、路面下側に設けられた基台と、この基台上に取り付けられた蓋枠と、上端が蓋枠内まで延びた集水用中筒と、蓋枠の上端開口部に開閉可能に取り付けられた集水用蓋と、から構成され、集水用蓋には雨水を集水用中筒内に流下させる通水孔が、通常は複数個又は多数個設けられている。
【０００３】
【発明が解決しようとする課題】
集水機能を高め、雨水を確実に集水用中筒内に導くためには、集水用蓋の広い範囲に通水孔を設け、中筒をできるだけ大径に形成することが好ましいが、中筒を大径に形成すると中筒の上端が蓋枠の下端部に接近するために、集水用蓋に大きな荷重が加わって蓋枠が変形あるいは沈下した場合には、蓋枠が中筒に接触して中筒を破損させるおそれがある。したがって、中筒は蓋枠と適当な隙間が開くような大きさに形成されるため、中筒の径は集水用蓋よりも小さいのが普通であり、集水用蓋の特に外側の通水孔から流下した雨水が中筒内に導かれずに中筒の外側に流れ込み、中筒と基台との間を通過して地中に浸透し、その結果、地盤を脆弱化させてしまうこともまれではない。
【０００４】
このような問題に対処するためには、集水用蓋に設けられた特に外側の通水孔の内面の外側部分を内側下方に傾斜して延長するガイド部を集水用蓋の裏面側に形成し、通水孔を通過する雨水がガイド部に沿って内側に導かれ、中筒内に流入するように構成することが考えられる。
【０００５】
そこで本発明は、通水孔の内面の外側部分を内側下方に傾斜して延長するガイド部を有する集水用蓋を安価に製造できる集水用蓋の製造方法及び集水用蓋の製造用型を提供することを目的とする。
【０００６】
【課題を解決するための手段】
この目的を達成するための本発明の集水用蓋の製造方法は、通水孔を有し、この通水孔の内面の外側部分を内側下方に傾斜して延長するガイド部が形成された集水用蓋を製造する集水用蓋の製造方法であって、前記ガイド部を成形するキャビティ部分（製品キャビティの一部分）の内端（通常は下端部の内端）から前記通水孔の内側壁を成形するキャビティ部分（製品キャビティの一部分）の外端（通常は下端部の外端）まで延びる型割面が形成されることとなる一対の型（例えば上型及び下型）を準備してこの一対の型の型合わせを行い、前記一対の型の間に構成された製品キャビティ内に金属溶湯等の蓋用材料を充填して集水用蓋を鋳造等して製造するものである。本発明では、ガイド部（特にガイド部の内側）を成形するキャビティ部分（内側壁を成形するキャビティ部分も同様）を中子を用いることなく一対の型（例えば上型及び下型）から直接構成している。通水孔成形箇所での型割面の少なくとも大部分（通常は型割面の全部）は、外側（蓋外縁側）から内側（蓋中心側）に向かって蓋表面側に傾斜するように形成され、傾斜を抜き勾配程度のもの（蓋表面と直交する方向に対して僅かに傾斜するもの）とすれば、ガイド部の内端を通水孔の内面の内側部分のほぼ真下に位置させることができるが、型割面を型合わせに支障が生じないような比較的大きな傾斜角度にしてガイド部を成形しても、雨水が外側方向に飛び散るといったことを十分に防止できるガイド部、すなわち通水孔の内面の外側部分を十分内側まで延長できるガイド部を得ることができる。そして、本発明の一対の型は、通水孔成形箇所で造型時にアンダーカットとなる部分が生じないように構成できるので、中子を使用することなく造型することができるものである。
【０００７】
また、本発明の集水用蓋の製造用型は、通水孔を有し、この通水孔の内面の外側部分を内側下方に傾斜して延長するガイド部が形成された集水用蓋を製造するための集水用蓋の製造用型であって、製品キャビティを備え、前記ガイド部を成形するキャビティ部分の内端から前記通水孔の内側壁を成形するキャビティ部分の外端まで延びる型割面が形成されている一対の型（例えば上型及び下型）から構成されたものである。そして、本発明の集水用蓋の製造用型としては、一対の型の一方（例えば上型）に、先端側内側面及び先端側外側面がテーパ状の、通水孔を設けるための突出部を形成しておき、一対の型の他方（例えば下型）を、突出部のテーパ状の先端側内側面と型割面を形成して一対の型の一方との間に製品キャビティを構成するようにしたものとすることができる。ここでは、突出部の先端側外側面と一対の型の他方との間にガイド部を成形するキャビティ部分が構成され、突出部の基部側内側面と一対の型の他方との間に内側壁（内側壁の外側）を成形するキャビティ部分が構成される。
【０００８】
【発明の実施の形態】
以下、本発明の実施の形態を図面を参照して説明する。
【０００９】
図１は本発明を適用した集水用蓋の製造用鋳型の片側を示す断面図、図２は集水用蓋の製造用鋳型を分解した状態を示す図である。
【００１０】
集水用蓋の製造用鋳型１は上型３と下型５との砂型を備えて構成され、上型３と下型５との間に集水用蓋７を成形、すなわち鋳造する製品キャビティ９が構成されている。この鋳型１により鋳造される集水用蓋７は、円盤状のプレート部１１及びプレート部１１の外周に下方に延びるように一体的に形成され、外周面が蓋枠（図示せず）内周に支持される枠部１３から構成されていて、プレート部１１には複数個の通水孔１４、１５が設けられている。プレート部１１の外周部又は外側部（蓋の外縁側部）に設けられた通水孔１５の外側壁１７の下端には、内側下方に向かって傾斜して延びるガイド部１９が形成され、このガイド部１９の下端部の内端（あるいはガイド部１９の下端：図１の符号３２で示す位置に相当する箇所）は、外周部の通水孔１５の幅方向又は蓋径方向中間（符号Ａ参照）を僅かに越えるとともに、枠部１３の下端よりも多少上側位置まで延び、したがって、外周部の通水孔１５の内面の外側部分２１（蓋外縁側部分）は、このガイド部１９の内側面によって、通水孔１５の幅方向中間を越えて枠部１３の下端より多少上方まで内側下方に傾斜して延長されていることとなる。
【００１１】
上型３には、集水用蓋７のプレート部１１に通水孔１４、１５を設けるための突出部が複数形成されているが、外周部に設けられる通水孔１５を形成するための突出部２３の上方内側面（基部側内側面）及び上方外側面（基部側外側面）は緩いテーパ状（より正確には断面緩いテーパ状）に形成され、下方内側面２５（先端側内側面）及び下方外側面２７（先端側外側面）は多少急なテーパ状（より正確には断面多少急なテーパ状）に形成されていて、この突出部２３の下側部又は先端部は断面三角形状となっている。突出部２３の上方外側面は通水孔１５の内面の外側部分２１全体を成形するキャビティ面を構成し、突出部２３の下方外側面２７はガイド部１９の内側面全体を成形するキャビティ面を構成し、突出部２３の上方内側面は通水孔１５の内面の内側部分２９全体を成形するキャビティ面を構成するものであり、突出部２３の下端又は先端はガイド部１９を成形するガイド用キャビティ部分３１の下端あるいは下端部の内端３２に位置することとなる。また、突出部２３の下方内側面２５の上端又は開始端は、通水孔１５の内面の外側下方に傾斜する内側部分２９全体を成形するキャビティ面を構成している上方内側面の下端に位置しているので、通水孔１５の内側壁３３を成形する内側壁用キャビティ部分３５の下端部の外端３４に位置することとなる。そして、下型５には、ガイド用キャビティ部分３１を構成するためのガイド用凹部３７が形成されているが、このガイド用凹部３７の内側面は、底内端（突出部２３の下端又は先端が位置する箇所あるいはガイド用キャビティ部分３１の下端３２位置）から内側壁用キャビティ部分３５の下端部を構成するための内側壁用凹部３９の外端（突出部２３の下方内側面２５の上端又は開始端が位置する箇所あるいは内側壁用キャビティ部分３５の下端部の外端３４位置）まで外側から内側に向かって断面直線状に上昇傾斜して延び、突出部２３のテーパ状の下方内側面２５全体と型割面４１を構成する傾斜面４３として形成されている。なお、この傾斜面４３の垂直方向に対する傾斜角度を抜き勾配程度にすれば、ガイド部１９の下端を通水孔１５の内面の内側部分２９のほぼ真下に位置させ、通水孔１５の内面の外側部分２１を内側部分２９位置まで延長することができる。
【００１２】
このような上型３と下型５との間の製品キャビティ９に金属溶湯４５等を充填して例えばダクタイル鋳鉄製の集水用蓋７を鋳造する。
【００１３】
【発明の効果】
以上説明したように、本発明の集水用蓋の製造方法又は集水用蓋の製造用型を用いれば、通水孔の内面の外側部分を内側下方に傾斜して延長するガイド部を有する集水用蓋を、型造型時にも蓋成形時にも中子を使用することなく安価に製造できる。
【図面の簡単な説明】
【図１】本発明を適用した集水用蓋の製造用鋳型の片側を示す断面図である。
【図２】集水用蓋の製造用鋳型を分解した状態を示す図である。
【符号の説明】
１      集水用蓋の製造用鋳型
３      上型
５      下型
７      集水用蓋
９      製品キャビティ
１５    通水孔
１９    ガイド部
４１    型割面
【図１】
0004625579.tif 000002
【図２】
0004625579.tif 000003